(57)【要約】  本発明の実施形態は、デュアル・コネクティビティ・システムにおいて無線ベアラ分割をサポートするＭｅＮＢおよびＳｅＮＢのためのフロー制御方法およびフロー制御装置を開示する。方法は、ＳｅＮＢに関連する情報を受信するステップと、情報およびＭｅＮＢに関連する情報に基づいてＳｅＮＢにフロー制御を実行するステップとを備える。本発明の実施形態を通じて、フロー制御は、中長期間のチャネルおよび負荷状態に従ってフロー制御を実行することを考慮するだけではなく、送信／サービス状態をフィードバックすることを通じてチャネルおよび負荷の急速な変化をフロー制御に考慮させる。
2017509229.tif 000002
【特許請求の範囲】
【請求項１】
デュアル・コネクティビティ・システムにおいて無線ベアラ分割をサポートするマスターＥｖｏｌｖｅｄ  ＮｏｄｅＢ（ＭｅＮＢ）のためのフロー制御方法であって、
セカンダリＥｖｏｌｖｅｄ  ＮｏｄｅＢ（ＳｅＮＢ）に関連する情報を受信するステップと、
前記情報および前記ＭｅＮＢに関連する情報に基づいて前記ＳｅＮＢにフロー制御を実行するステップと、
を備える、方法。
【請求項２】
前記ＳｅＮＢに関連する情報を受信するステップは、
前記ＳｅＮＢに対して基本フロー制御を実行するための情報を受信するステップ
を備える、請求項１に記載の方法。
【請求項３】
前記ＳｅＮＢに対して基本フロー制御を実行するための情報を受信するステップは、
前記ＳｅＮＢの負荷状態、負荷状態、およびＣＱＩのうちの少なくとも１つを前記ＳｅＮＢから受信するステップ、ならびに／または、
前記ＳｅＮＢの負荷状態および／もしくはＣＱＩをＵＥから受信するステップ
を備える、請求項２に記載の方法。
【請求項４】
ＳｅＮＢに関連する情報を受信するステップは、
関心対象のＲＢまたはＲＢセットに関して前記ＳｅＮＢのバッファのバッファ状態を受信するステップ
をさらに備える、請求項２に記載の方法。
【請求項５】
ＳｅＮＢに関連する情報を受信するステップは、
第１の指示情報を受信するステップであって、前記第１の指示情報は、前記ＭｅＮＢと前記ＳｅＮＢとの間でサポートされる分割のＲＢまたはＲＢセットについて前記ＳｅＮＢのサービス状態を指示するためのものである、受信するステップ
をさらに備える、請求項２に記載の方法。
【請求項６】
前記ＳｅＮＢに関連する情報を受信するステップは、
前記ＭｅＮＢと前記ＳｅＮＢとの間でサポートされる前記ＲＢまたはＲＢセットによって提供される前記ＳｅＮＢのスループットを受信するステップ
をさらに備える、請求項２に記載の方法。
【請求項７】
前記ＭｅＮＢに関連する前記情報は、
前記ＭｅＮＢ自身によって収集された、前記ＭｅＮＢの負荷状態および／もしくはバッファ状態、ならびに／または、
前記ＵＥから前記ＭｅＮＢによって受信された、前記ＭｅＮＢの負荷状態および／もしくはＣＱＩ、
を含む、請求項２乃至６のいずれか１項に記載の方法。
【請求項８】
デュアル・コネクティビティ・システムにおいて無線ベアラ分割をサポートするセカンダリＥｖｏｌｖｅｄ  ＮｏｄｅＢ（ＳｅＮＢ）のためのフロー制御方法であって、
前記ＳｅＮＢに関連する情報をマスターＥｖｏｌｖｅｄ  ＮｏｄｅＢ（ＭｅＮＢ）に送信するステップと、
フロー制御の決定を通じて前記ＭｅＮＢによって前記ＳｅＮＢに送信されたデータを受信するステップと、
を備える、方法。
【請求項９】
前記ＳｅＮＢに関連する情報をＭｅＮＢに送信するステップは、
前記ＳｅＮＢに対して基本フロー制御を実行するための情報を、前記ＭｅＮＢに送信するステップ
を備える、請求項８に記載の方法。
【請求項１０】
前記ＳｅＮＢに対して基本フロー制御を実行するための前記情報は、
前記ＳｅＮＢの負荷状態、
負荷状態、および
チャネル品質インジケータＣＱＩ、
のうちの少なくとも１つを含む、請求項９に記載の方法。
【請求項１１】
前記ＳｅＮＢに関連する情報をＭｅＮＢに送信するステップは、
関心対象のＲＢまたはＲＢセットに関して前記ＳｅＮＢのバッファのバッファ状態を、前記ＭｅＮＢに送信するステップ
をさらに備える、請求項９に記載の方法。
【請求項１２】
前記ＳｅＮＢに関連する情報をＭｅＮＢに送信するステップは、
第１の指示情報を前記ＭｅＮＢに送信するステップであって、前記第１の指示情報は、前記ＭｅＮＢと前記ＳｅＮＢとの間でサポートされるＲＢまたはＲＢセットに関して前記ＳｅＮＢのサービス状態を指示するためのものである、送信するステップ
をさらに備える、請求項９に記載の方法。
【請求項１３】
ＳｅＮＢに関連する情報を送信するステップは、
前記ＭｅＮＢと前記ＳｅＮＢとの間でサポートされる前記ＲＢまたはＲＢセットによって提供される前記ＳｅＮＢのスループットを前記ＭｅＮＢに送信するステップ
をさらに備える、請求項９乃至１２のいずれか１項に記載の方法。
【請求項１４】
デュアル・コネクティビティ・システムにおいて無線ベアラ分割をサポートするマスターＥｖｏｌｖｅｄ  ＮｏｄｅＢ（ＭｅＮＢ）のフロー制御デバイスであって、
セカンダリＥｖｏｌｖｅｄ  ＮｏｄｅＢ（ＳｅＮＢ）に関連する情報を受信するように構成された受信モジュールと、
前記情報および前記ＭｅＮＢに関連する情報に基づいて前記ＳｅＮＢにフロー制御を実行するように構成された実行モジュールと、
を備える、フロー制御デバイス。
【請求項１５】
デュアル・コネクティビティ・システムにおいて無線ベアラ分割をサポートするセカンダリＥｖｏｌｖｅｄ  ＮｏｄｅＢ（ＳｅＮＢ）のためのフロー制御デバイスであって、
前記ＳｅＮＢに関連する情報をマスターＥｖｏｌｖｅｄ  ＮｏｄｅＢ（ＭｅＮＢ）に送信するように構成された送信モジュールと、
フロー制御の決定を通じて前記ＭｅＮＢによって前記ＳｅＮＢに送信されたデータを受信するように構成された受信モジュールと、
を備える、フロー制御デバイス。
【発明の詳細な説明】
【技術分野】
【０００１】
本発明の実施形態は、一般に、通信の分野に関し、さらに詳細には、デュアル・コネクティビティ・システムにおいて共に無線ベアラ分割をサポートする、マスターＥｖｏｌｖｅｄ  ＮｏｄｅＢ（ＭｅＮＢ）およびセカンダリＥｖｏｌｖｅｄ  ＮｏｄｅＢ（ＳｅＮＢ）のためのフロー制御方法およびフロー制御装置に関する。
【背景技術】
【０００２】
現在、デュアル・コネクティビティは、３ＧＰＰ  ＲＡＮ（Ｔｈｉｒｄ  Ｇｅｎｅｒａｔｉｏｎ  Ｐａｒｔｎｅｒｓｈｉｐ  Ｐｒｏｊｅｃｔ  Ｒａｄｉｏ  Ａｃｃｅｓｓ  Ｎｅｔｗｏｒｋ）において研究され、開発されている重要なトピックである。デュアル・コネクティビティは、マクロセルへの接続によって良好なモビリティ・パフォーマンスをもたらし、スモールセルへの接続によってトラフィックを分割する。９つのユーザ・プレーン・アーキテクチャ候補が提案されているが、現在、２つのユーザ・プレーン・アーキテクチャ、すなわち、以下に規定されている１Ａおよび３Ｃのみが合意されている。
【０００３】
１Ａ：Ｓ１−Ｕ（サブスクライバ・プレーン・プロトコル・スタック）はＳｅＮＢにおいて終端＋独立したパケット・データ・コンバージェンス・プロトコル（ＰＤＣＰ）、無線ベアラ分割なし
【０００４】
３Ｃ：Ｓ１−ＵはＭｅＮＢにおいて終端＋ＭｅＮＢにおいて無線ベアラ分割＋無線ベアラを分割するための独立したＲＬＣ
【０００５】
図１は、例としてダウンリンク方向が使用される、関連技術によるユーザ・プレーン・アーキテクチャ３Ｃを概略的に示す。図１に示されているように、ユーザ・プレーン・アーキテクチャ３Ｃは、Ｓ１−ＵがＭｅＮＢにおいて終端し、ＰＤＣＰレイヤがＭｅＮＢにあることを仮定する。加えて、ユーザ・プレーン・アーキテクチャ３Ｃは、ＲＡＮにおける無線ベアラ分割をサポートする。つまり、ベアラに属しているデータは、ＭｅＮＢおよびＳｅＮＢを通じて同時に送信されうる。
【０００６】
無線ベアラ分割の場合、ＭｅＮＢとＳｅＮＢとの間にフロー制御が必要とされる。フロー制御は、サブスクライバに対して２つのｅＮＢの間でどのようにデータを分割するかを決定することになる、重要な機能である。フロー制御を実行する方法は、ベアラ上のサブスクライバの（スループットおよび遅延のような）パフォーマンスに直接の影響を及ぼす。しかし、フロー制御を実行する方法は、サブスクライバ・プレーン制御アーキテクチャ３Ｃが採用されるべきであると決定するプロセス中に提案されていない。
【発明の概要】
【課題を解決するための手段】
【０００７】
フロー制御を実行する方法が、３ＧＰＰにおいてサブスクライバ・プレーン制御アーキテクチャ３Ｃが採用されるべきであると決定するプロセス中に提案されていないことを考慮して、本発明の実施形態は、デュアル・コネクティビティ・システムにおいて無線ベアラ分割をサポートするためのフロー制御方法、フロー制御装置、およびフロー制御システムを提供する。
【０００８】
本発明の実施形態の１つの態様によれば、デュアル・コネクティビティ・システムにおいて無線ベアラ分割をサポートするＭｅＮＢのためのフロー制御方法であって、ＳｅＮＢに関連する情報を受信するステップと、この情報およびＭｅＮＢに関連する情報に基づいてＳｅＮＢにフロー制御を実行するステップとを備える方法が提供される。
【０００９】
１つの実施形態において、ＳｅＮＢに関連する情報を受信するステップは、ＳｅＮＢに対して基本フロー制御を実行するための情報を受信するステップを備える。
【００１０】
１つの実施形態において、ＳｅＮＢに対して基本フロー制御を実行するための情報を受信するステップは、ＳｅＮＢの負荷状態、チャネル状態、およびＣＱＩのうちの少なくとも１つをＳｅＮＢから受信するステップ、ならびに／またはＳｅＮＢのチャネル状態および／もしくはＣＱＩをＵＥから受信するステップを備える。
【００１１】
１つの実施形態において、ＳｅＮＢの負荷状態は、関心対象の分割ＲＢに関してＳｅＮＢの負荷状態を含む。
【００１２】
１つの実施形態において、チャネル状態はＲＳＲＰを含む。
【００１３】
１つの実施形態において、イベント・トリガーまたは時間トリガーに基づいて情報を送信するために、ＳｅＮＢおよび／またはＵＥをトリガーするステップがさらに含まれる。
【００１４】
別の実施形態において、ＳｅＮＢに関連する情報を受信するステップは、関心対象のＲＢまたはＲＢセットに関してＳｅＮＢのバッファのバッファ状態を受信するステップをさらに備える。
【００１５】
１つの実施形態において、情報およびＭｅＮＢに関連する情報に基づいてＳｅＮＢにフロー制御を実行するステップは、バッファ状態に基づいてＳｅＮＢによって送信されたデータ量の、ＳｅＮＢへの割り振りを、増加、低減、または停止するステップを備える。
【００１６】
別の実施形態において、ＳｅＮＢに関連する情報を受信するステップは、第１の指示情報を受信するステップであって、第１の指示情報は、ＭｅＮＢとＳｅＮＢとの間でサポートされる分割のＲＢまたはＲＢセットについてＳｅＮＢのサービス状態を指示するためのものである、受信するステップをさらに備える。
【００１７】
１つの実施形態において、第２の指示情報を受信するステップであって、第２の指示情報は、第１の指示情報が存在するかどうかを指示するためのものである、受信するステップをさらに備える。
【００１８】
１つの実施形態において、第１の指示情報および第２の指示情報はいずれも１ビットである。
【００１９】
１つの実施形態において、ＳｅＮＢによる送信のためにＳｅＮＢに割り振られるデータ量を増加させること、ＳｅＮＢによる送信のためにＳｅＮＢに割り振られるデータ量を低減すること、ＳｅＮＢによる送信のためのデータ量の割り振りを停止すること、およびＳｅＮＢによる送信のためにＳｅＮＢに割り振られるデータ量を調整しないこと、のうちの少なくとも１つを指示するため、第１の指示情報は２ビットである。
【００２０】
１つの実施形態において、ＳｅＮＢが予想されるよりも高いデータ転送速度でデータを送信することをサービス状態が指示する場合、情報およびＭｅＮＢに関連する情報に基づいてＳｅＮＢにフロー制御を実行するステップは、第１の指示情報に基づいてＳｅＮＢによる送信のためにＳｅＮＢに割り振られるデータ量を増加させるステップを備え、ＳｅＮＢが予想されるよりも低いデータ転送速度でデータを送信することをサービス状態が指示する場合、情報およびＭｅＮＢに関連する情報に基づいてＳｅＮＢにフロー制御を実行するステップは、第１の指示情報に基づいてＳｅＮＢによる送信のためにＳｅＮＢに割り振られるデータ量を低減するか、またはＳｅＮＢによる送信のためにデータ量を割り振ることを停止するステップを備える。
【００２１】
さらなる実施形態において、ＳｅＮＢに関連する情報を受信するステップは、ＭｅＮＢとＳｅＮＢとの間でサポートされるＲＢまたはＲＢセットによって提供されるＳｅＮＢのスループットを受信するステップをさらに備える。
【００２２】
１つの実施形態において、情報およびＭｅＮＢに関連する情報に基づいてＳｅＮＢにフロー制御を実行するステップは、情報およびスループットに基づいて、ＳｅＮＢによる送信のために、ＳｅＮＢにデータ量を割り振るステップを備える。
【００２３】
１つの実施形態において、ＭｅＮＢに関連する情報は、ＭｅＮＢ自身によって収集された、ＭｅＮＢの負荷状態および／もしくはバッファ状態、ならびに／または、ＵＥからＭｅＮＢによって受信された、ＭｅＮＢのチャネル状態および／もしくはＣＱＩを含む。
【００２４】
本発明の実施形態の別の態様によれば、デュアル・コネクティビティ・システムにおいて無線ベアラ分割をサポートするＳｅＮＢのためのフロー制御方法であって、ＳｅＮＢに関連する情報をＭｅＮＢに送信するステップと、フロー制御の決定を通じてＭｅＮＢによってＳｅＮＢに送信されたデータを受信するステップとを備える方法が提供される。
【００２５】
１つの実施形態において、ＳｅＮＢに関連する情報をＭｅＮＢに送信するステップは、ＳｅＮＢに対して基本フロー制御を実行するための情報を、ＭｅＮＢに送信するステップを備える。
【００２６】
１つの実施形態において、ＳｅＮＢに対して基本フロー制御を実行するための情報は、ＳｅＮＢの負荷状態、チャネル状態、およびチャネル品質インジケータＣＱＩのうちの少なくとも１つを含む。
【００２７】
１つの実施形態において、ＳｅＮＢの負荷状態は、ＳｅＮＢが関心対象とする分割ＲＢの負荷状態を含み、チャネル状態はＲＳＲＰを含む。
【００２８】
別の実施形態において、ＳｅＮＢに関連する情報をＭｅＮＢに送信するステップは、関心対象のＲＢまたはＲＢセットに関してＳｅＮＢのバッファのバッファ状態を、ＭｅＮＢに送信するステップをさらに備える。
【００２９】
１つの実施形態において、バッファ状態をＭｅＮＢに送信するステップは、バッファ状態をＭｅＮＢに定期的に送信するステップを備える。
【００３０】
１つの実施形態において、バッファ状態をＭｅＮＢに送信するステップは、バッファによってバッファに入れられたデータ量が、事前設定の第１のしきい値よりも少ないか、または事前設定の第２のしきい値よりも多い場合に、バッファ状態をＭｅＮＢに送信するステップを備える。
【００３１】
１つの実施形態において、バッファ状態をＭｅＮＢに送信するステップは、ＢＳＲを使用してバッファ状態をＭｅＮＢに送信するステップを備える。
【００３２】
１つの実施形態において、ＢＳＲを使用してバッファ状態をＭｅＮＢに送信するステップは、ＭｅＮＢとＳｅＮＢとの間で１つの無線ベアラＲＢまたはＲＢセットのみがサポートされる場合、１バイトのＢＳＲを使用してＭｅＮＢにバッファ状態を送信し、１バイトのＢＳＲは、ＲＢまたはＲＢセットに対応する２ビットのＬＧＧ  ＩＤおよび６ビットのバッファ・サイズを含むことを備える。
【００３３】
１つの実施形態において、ＢＳＲを使用してバッファ状態をＭｅＮＢに送信するステップは、ＭｅＮＢとＳｅＮＢとの間で複数のＲｂまたはＲＢセットがサポートされる場合、長いＢＳＲを使用してバッファ状態をＭｅＮＢに送信するステップであって、長いＢＳＲは、それぞれ、複数のＲＢまたはＲＢセットに対応する連続して格納されるバッファ・サイズと、長いＢＳＲのテールにおけるパディング・ビットを備える、送信するステップを備える。
【００３４】
１つの実施形態において、ＢＳＲを使用してバッファ状態をＭｅＮＢに送信するステップは、ＭｅＮＢとＳｅＮＢとの間で４つのＲＢまたはＲＢセットがサポートされる場合、３バイトのＢＳＲを使用してバッファ状態をＭｅＮＢに送信するステップであって、３バイトのＢＳＲは、それぞれ、４つのＲＢまたはＲＢセットに対応する連続して格納されるバッファ・サイズを含む、送信するステップを備える。
【００３５】
１つの実施形態において、ＬＧＧ  ＩＤまたは追加の１ビットのいずれを使用してＢＳＲを送信するかを指示するステップをさらに備える。
【００３６】
さらなる実施形態において、ＳｅＮＢに関連する情報をＭｅＮＢに送信するステップは、第１の指示情報をＭｅＮＢに送信するステップであって、第１の指示情報は、ＭｅＮＢとＳｅＮＢとの間でサポートされるＲＢまたはＲＢセットに関してＳｅＮＢのサービス状態を指示するためのものである、送信するステップをさらに備える。
【００３７】
１つの実施形態において、第２の指示情報をＭｅＮＢに送信するステップであって、第２の指示情報は、第１の指示情報が存在するかどうかを指示するためのものである、送信するステップをさらに備える。
【００３８】
１つの実施形態において、第１の指示情報および第２の指示情報はいずれも１ビットである。
【００３９】
１つの実施形態において、ＳｅＮＢによる送信のためにＳｅＮＢに割り振られるデータ量を増加させること、ＳｅＮＢによる送信のためにＳｅＮＢに割り振られるデータ量を低減すること、ＳｅＮＢによる送信のためのデータ量の割り振りを停止すること、およびＳｅＮＢによる送信のためにＳｅＮＢに割り振られるデータ量を調整しないこと、のうちの少なくとも１つを指示するため、第１の指示情報は２ビットである。
【００４０】
さらなる実施形態において、ＳｅＮＢに関連する情報を送信するステップは、ＭｅＮＢとＳｅＮＢとの間でサポートされるＲＢまたはＲＢセットによって提供されるＳｅＮＢのスループットをＭｅＮＢに送信するステップをさらに備える。
【００４１】
本発明の実施形態のさらなる態様によれば、デュアル・コネクティビティ・システムにおいて無線ベアラ分割をサポートするＭｅＮＢのフロー制御デバイスであって、ＳｅＮＢに関連する情報を受信するように構成された受信モジュールと、情報およびＭｅＮＢに関連する情報に基づいてＳｅＮＢにフロー制御を実行するように構成された実行モジュールとを備えるフロー制御デバイスがさらに提供される。
【００４２】
１つの実施形態において、受信モジュールは、ＳｅＮＢに対して基本フロー制御を実行するための情報を受信する。
【００４３】
１つの実施形態において、受信モジュールは、ＳｅＮＢの負荷状態、チャネル状態、およびＣＱＩのうちの少なくとも１つをＳｅＮＢから受信し、ならびに／またはＳｅＮＢのチャネル状態および／もしくはＣＱＩをＵＥから受信する。
【００４４】
１つの実施形態において、ＳｅＮＢの負荷状態は、関心対象の分割ＲＢに関してＳｅＮＢの負荷状態を含む。
【００４５】
１つの実施形態において、チャネル状態はＲＳＲＰを含む。
【００４６】
１つの実施形態において、ＭｅＮＢに関連する情報は、ＭｅＮＢ自身によって収集されたＭｅＮＢの負荷状態および／もしくはバッファ状態、ならびに／または、ＵＥからＭｅＮＢによって受信されたＭｅＮＢのチャネル状態および／もしくはＣＱＩを含む。
【００４７】
本発明の実施形態のさらなる態様によれば、デュアル・コネクティビティ・システムにおいて無線ベアラ分割をサポートするＳｅＮＢのためのフロー制御デバイスであって、ＳｅＮＢに関連する情報をＭｅＮＢに送信するように構成された送信モジュールと、フロー制御の決定を通じてＭｅＮＢによってＳｅＮＢに送信されたデータを受信するように構成された受信モジュールとを備えるフロー制御デバイスがさらに提供される。
【００４８】
本発明の実施形態のさらなる態様によれば、上記のさまざまな態様を実行することができるコンピュータ・プログラム命令を含むコンピュータ・プログラム製品がさらに提供される。
【００４９】
本発明の実施形態の上記およびその他の目的、特徴、および利点は、添付の図面を参照して以下の詳細な説明を読むことで、さらに明確なものとなろう。図面において、本発明のいくつかの実施形態は、例示的な、非限定的な方法で説明される。
【図面の簡単な説明】
【００５０】
【図１】関連技術によるユーザ・プレーン・アーキテクチャ３Ｃを示す図である。
【図２】本発明の実施形態によるフロー制御システムを示す概略図である。
【図３】本発明の実施形態による、デュアル・コネクティビティ・システムにおいて無線ベアラ分割をサポートするＭｅＮＢのためのフロー制御方法を示す流れ図である。
【図４】本発明の実施形態による、デュアル・コネクティビティ・システムにおいて無線ベアラ分割をサポートするＳｅＮＢのためのフロー制御方法を示す流れ図である。
【図５】本発明の実施形態によるＢＳＲを示す第１の図である。
【図６】本発明の実施形態によるＢＳＲを示す第２の図である。
【図７】本発明の実施形態によるＢＳＲを示す第３の図である。
【発明を実施するための形態】
【００５１】
添付の図面において、同一または類似した参照番号は、同一または類似したコンポーネントを表す。
【００５２】
以下、本発明の原理および精神は、添付の図面において示されるいくつかの例示的な実施形態を参照して説明される。これらの実施形態は、当業者が、本発明をより深く理解し、さらに本発明を実施することができるようにするために提示されているに過ぎず、本発明の範囲をいかなる方法によっても限定することは意図されていないことを理解されたい。
【００５３】
以下の例示的な説明は主として、例示的なネットワーク構成および配備の非限定的な例として使用される仕様を伴うことに留意されたい。具体的には、ＬＴＥ（ＬＴＥ−Ａを含む）に関連付けられているセルラー通信ネットワークは、デュアル・コネクティビティ操作を使用した非限定的な例として使用される。加えて、本明細書において提供される例示的な態様および実施形態の説明は具体的に、直接関連付けられている用語を伴う。そのような用語は、提示される非限定的な例の背景においてのみ使用され、当然ながら、いかなる方法においても本発明を限定することはない。実際、本明細書において説明されている特徴に適応する限りにおいて、任意の他の通信システム、周波数帯域、ネットワーク構成またはシステム配備もまた使用されてもよい。
【００５４】
以下、本発明のさまざまな態様、実施形態、および実施態様が、複数の代替を使用して説明されうる。一部の必要性および制約により、すべての説明されている代替が個別に提供されるか、または任意の考えられる組合せ（さまざまな代替の個々の特徴の組合せも含む）において提供されてもよいことに留意されたい。
【００５５】
図２は、本発明の実施形態によるフロー制御システムを示す概略図である。図２に示されているように、フロー制御システムは、ＭｅＮＢおよびＳｅＮＢを備える。説明を簡潔にするため、ＭｅＮＢおよびＳｅＮＢは、１つのＲＢに対してのみ無線ベアラ分割を実行する。しかし、当業者であれば、本発明の実施形態が、１つのＲＢに限定されることはなく、複数のＲＢまたはＲＢグループを対象としうることを理解するはずである。
【００５６】
図３は、本発明の実施形態による、デュアル・コネクティビティ・システムにおいて無線ベアラ分割をサポートするＭｅＮＢのためのフロー制御方法を示す流れ図である。図３に示されているように、方法は、以下のようなステップＳ３０２およびステップＳ３０４を備える。
【００５７】
ステップＳ３０２：ＳｅＮＢに関連する情報を受信する。
【００５８】
ステップＳ３０４：情報およびＭｅＮＢに関連する情報に基づいてＳｅＮＢにフロー制御を実行する。
【００５９】
図４は、本発明の実施形態による、デュアル・コネクティビティ・システムにおいて無線ベアラ分割をサポートするＳｅＮＢのためのフロー制御方法を示す流れ図である。図４に示されているように、方法は、以下のようなステップＳ４０２およびステップＳ４０４を備える。
【００６０】
ステップＳ４０２：ＳｅＮＢに関連する情報をＭｅＮＢに送信する。
【００６１】
ステップＳ４０４：フロー制御の決定を通じてＭｅＮＢによってＳｅＮＢに送信されたデータを受信する。
【００６２】
本発明の実施形態を通じて、ＭｅＮＢは、ＳｅＮＢに関連付けられている情報およびＭｅＮＢに関連付けられている情報に基づいてＭｅＮＢとＳｅＮＢとの間のフロー制御を実行する。フロー制御とは、ＭｅＮＢとＳｅＮＢとの間で同時に送信されるＲＢに対して、ＭｅＮＢ経由で送信されるデータ量、およびＳｅＮＢ経由で送信されるデータ量を決定することを意味する。本発明の実施形態におけるフロー制御は、２つのｅＮＢの（負荷状態および負荷状態のような）中長期間を考慮できるだけではなく、２つのｅＮＢの急速な変化にも適応されうる。
【００６３】
本明細書において、ＳｅＮＢでのフロー制御が実行されるとき、割り振られたデータが最大バッファ容量を超えることがないように、ＳｅＮＢの最大バッファ容量（情報はＭｅＮＢとＳｅＮＢとの間のＸｎを確立するときにＳｅＮＢによってＭｅＮＢに通知されている）であることにさらに留意されたい。
【００６４】
本発明のさまざまな実施形態によれば、ＳｅＮＢに関連する情報は主に、以下の３つのグループに分割される。
【００６５】
（１）  ＳｅＮＢの負荷状態、負荷状態、およびチャネル品質インジケータ（ＣＱＩ）、これらはＭｅＮＢが基本フロー制御を達成しやすくするために使用される。
【００６６】
（２）  ＳｅＮＢのバッファ状態、およびＭｅＮＢとＳｅＮＢとの間でサポートされるＲＢまたはＲＢセットに関するＳｅＮＢのサービス状態、これらは要求に応じて（フロー制御において説明されるように）ＳｅＮＢがＲＢまたはＲＢグループにサービスを提供しているかどうかをＭｅＮＢが認識するのを補助するために使用される。
【００６７】
（３）  ＭｅＮＢとＳｅＮＢとの間でサポートされるＲＢまたはＲＢセットにＳｅＮＢで提供されるスループット。
【００６８】
これ以降、上記の情報の３つのグループ、およびＭｅＮｂが情報に基づいてＭｅＮＢとＳｅＮＢとの間で相応してフロー制御を実行する方法は、図２を参照してさらに詳細に説明されてもよく、ＭｅＮＢは、ＰＤＣＰレイヤにおいてＰＤＣＰ  ＰＤＵを作成することができ、フロー制御結果に基づく送信のためにＳｅＮＢによって送信されるＰＤＣＰ  ＰＤＵを、ＳｅＮＢに送信する。
【００６９】
グループ（１）の情報について、ＭｅＮＢは、ＳｅＮＢの負荷状態（関心対象の分割ＲＢに関するＳｅＮＢの負荷状態も含む）、負荷状態（たとえば、基準信号受信電力（ＲＳＲＰ））、およびＣＱＩを、ＳｅＮＢから受信することができ、情報は収集されて、ＳｅＮＢの無線リソース管理（ＲＲＭ）に格納されてもよい。言うまでもなく、当業者であれば、情報が収集されＲＲＭ装置に格納されることに限定されることはなく、実際のアプリケーションにおいて、その他の方法もまた、たとえばＰＨＹまたはＭＡＣから情報を直接取得するなど、情報を取得するために採用されてもよいことを理解するはずである。さらに、ＭｅＮＢはまた、ＳｅＮＢの負荷状態およびＣＱＩをＵＥから受信することができる。
【００７０】
加えて、情報はまた、イベント・トリガーまたは時間トリガーに基づいて、ＭｅＮＢに送信されてもよい。
【００７１】
グループ（２）の情報について、ＭｅＮＢおよびＳｅＮＢは２つの分散されたスケジューラを有するので、ＭｅＮＢは、ＳｅＮＢにおいてどれほど多くのデータがスケジュールされて送信されたかを知ることはできない。たとえば、ＳｅＮＢは、（たとえば、フロー制御において説明されるように）予想どおりにはＲＢまたはＲＢセットにサービスを提供できないこともある。たとえＭｅＮＢもまたトラフィックにサービスを提供したとしても、ＲＢ上のトラフィックは、長時間停止状態に陥るか、または不当なスケジューリング処理を経験することもある。別の可能性は、ＳｅＮＢがＲＢに良好にサービスを提供し、データが送出されることである。したがって、上記の２つのシナリオについて、ＳｅＮＢは、ＲＢに対するサービス／送信状態をフィードバックする必要がある。
【００７２】
したがって、本発明の実施形態によれば、およびグループ（２）の情報における前者に対応して、ＳｅＮＢは、予想どおり（フロー制御において説明されるように）ＳｅＮＢがＲＢまたはＲＢセットにサービスを提供しているかどうかをＭｅＮＢが認識するのを補助するために、関心対象の分割ＲＢまたはＲＢセットのバッファについてバッファ状態をフィードバックすることができる。加えて、ＳｅＮＢは、定期的にバッファ状態をＭｅＮＢに送信することができるか、またはバッファに入れられたデータ量が事前設定の第１のしきい値よりも少ないか、もしくは事前設定の第２のしきい値よりも多い場合にバッファ状態をＭｅＮＢに送信する。
【００７３】
本発明の１つの実施形態によれば、バッファ状態は、ＢＳＲ（バッファ・サイズ・レポート）の形態をとることができる。具体的には、バッファ状態が、バッファによってバッファに入れられたデータ量が事前設定の第１のしきい値よりも少ないことを指示する場合、これはＳｅＮが予想されるよりも高いデータ転送速度でデータを送信しうることを意味し、したがって、ＭｅＮＢは、ＳｅＮＢによる送信のためにＳｅＮＢに割り振られるデータ量を増加させるか、または、バッファ状態が、データ量が事前設定の第２のしきい値よりも多いことを指示する場合、これはＳｅＮＢが予想されるよりも低いデータ転送速度でデータを送信しうることを意味する。ＳｅＮＢバッファにさらに多くのデータを格納して送信を遅延させることを回避するため、ＭｅＮＢは、ＳｅＮＢによる送信のためにＳｅＮＢに割り振られるデータ量を低減するか、またはＳｅＮＢによる送信のためのデータ量をＭｅＮＢに割り振ることを停止する必要がある。
【００７４】
ＢＳＲについて、本発明の実施形態はまた、ＭｅＮＢとＳｅＮＢとの間でサポートされるＲＢまたはＲＢセットの数に基づいて改良することができ、それは後段において詳細に説明される。
【００７５】
ＭｅＮＢとＳｅＮＢとの間で１つの無線ベアラＲＢまたはＲＢセットのみがサポートされる場合、バッファ状態は１ビットの短いＢＳＲを使用してＭｅＮＢに送信され、短いＢＳＲは、図５に示されるように、ＲＢまたはＲＢセットに対応する２ビットのＬＧＧ  ＩＤおよび６ビットのバッファ・サイズを含む。
【００７６】
ＭｅＮＢとＳｅＮＢとの間でさらに多くのＲＢまたはＲＢセットがサポートされる場合、バッファ状態をＭｅＮＢに送信するために長いＢＳＲが採用され、長いＢＳＲは、複数のＲＢまたはＲＢセットにそれぞれ対応する連続して格納されるバッファ・サイズと、長いＢＳＲのテール部分におけるパディング・ビットを含む。たとえば、２ＲＢで、各ＲＢに対応するバッファ・サイズが６ビットである場合には、２バイトの長いＢＳＲが採用される。このようにして、長いＢＳＲは、図６に示されるように、末端が結合している２ＲＢ（合計１２ビット）、およびパディング・ビット（合計４ビット）のバッファ・サイズを含むことになる。
【００７７】
ＭｅＮＢとＳｅＮＢとの間で４つのＲＢまたはＲＢセットがサポートされる場合、バッファ状態をＭｅＮＢに送信するために３バイトのＢＳＲが採用され、３バイトのＢＳＲは、それぞれ、４つのＲＢまたはＲＢセットに対応する連続して格納されるバッファ・サイズを備える。たとえば、４ＲＢの場合、各ＲＢに対応するバッファ・サイズは６ビットであり、３バイトの長いＢＳＲが採用される。このようにして、長いＢＳＲは、図７に示されるように、末端が結合している４ＲＢに対応するバッファ・サイズ（合計２４ビット）を含むことになる。
【００７８】
加えて、本発明の実施形態によれば、ＬＣＧ  ＩＤまたは追加の１ビットは、ＢＳＲを送信するかどうかを指示するために採用されてもよい。ＢＳＲはまた、定期的な間隔を使用してＳｅＮＢに送信されてもよい。
【００７９】
本発明の実施形態によれば、およびグループ（２）の情報における後者に対応して、ＳｅＮＢは第１の指示情報をさらにフィードバックすることができ、第１の指示情報は、ＭｅＮｂとＳｅＮｂとの間でサポートされるＲＢまたはＲＢセットに関してＳｅＮＢのサービス状態を指示するためのものである。具体的には、サービス状態が、予想されるよりも高いデータ転送速度でＳｅＮＢがデータを送信することを指示する場合、ＭｅＮＢは、第１の指示情報に基づいてＳｅＮＢによる送信のためにＳｅＮＢに割り振られるデータ量を増加させ、サービス状態が、予想されるよりも低いデータ転送速度でＳｅＮＢがデータを送信することを指示する場合、ＭｅＮＢは、第１の指示情報に基づいてＳｅＮＢによる送信のためにＳｅＮＢに割り振られるデータ量を低減するか、またはＳｅＮＢによる送信のためにデータ量を割り振ることを停止する。
【００８０】
加えて、第１の指示情報は、単純に１ビットまたは２ビットごとにフラグを立てられてもよく、これについては後段において具体的に説明される。
【００８１】
たとえば、１ビットでフラグを立てる場合、値「１」により、第１の指示情報は、ＳｅＮＢが予想されるよりも高いデータ転送速度でデータを送信することを指示し、ＭｅＮＢが第１の指示情報に基づいてＳｅＮＢによる送信のためにＳｅＮＢに割り振られるデータ量を増加させるようにして、「０」の値により、第１の指示情報は、ＳｅＮＢが予想されるよりも低いデータ転送速度でデータを送信することを指示し、ＭｅＮＢは、第１の指示情報に基づいてＳｅＮＢによる送信のためにＳｅＮＢに割り振られるデータ量を低減するか、またはＳｅＮＢによる送信のためにＳｅＮＢにデータ量を割り振ることを停止して、ＳｅＮＢバッファにさらに多くのデータが格納され送信を遅延させることを回避するようにする。第１の指示情報が送信されない場合、これはＳｅＮＢが予想どおりに機能することができ、ＭｅＮＢによる調整を必要としないことを意味する。好ましくは、第２の指示情報はまた、第１の指示情報が存在するかどうかを指示するために採用されてもよく、第２の指示情報は、１ビットであることが好ましい。
【００８２】
２ビットでフラグを立てる場合、たとえば、「００」は、ＳｅＮＢが予想どおりに機能することができ、ＭｅＮＢにおいて調整を必要としないことを意味し、「０１」は、ＳｅＮＢが予想されるよりも高いデータ転送速度でデータを送信し、ＭｅＮＢが第１の指示情報に基づいてＳｅＮＢによる送信のためにＳｅＮＢに割り振られるデータ量を増加させるようにすることを意味し、「１０」は、ＳｅＮＢが予想されるよりも低いデータ転送速度でデータを送信し、ＭｅＮＢが、ＳｅＮＢによる送信のためにＳｅＮＢに割り振られるデータ量を低減するか、またはＳｅＮＢによる送信のためにＳｅＮＢにデータ量を割り振ることを停止して、ＳｅＮＢバッファにさらに多くのデータが格納され送信を遅延させることを回避するようにすることを意味する。
【００８３】
グループ（３）の情報、つまりＭｅＮＢとＳｅＮＢとの間でサポートされるＲＢまたはＲＢセットに提供されるＳｅＮＢのスループットについて。特に、遅いモビリティ速度のユーザの場合、ＭｅＮＢはまた、最終フロー制御の基準としてスループットを使用することができる。
【００８４】
本発明のさまざまな実施形態によれば、ＭｅＮＢに関連付けられている情報は、ＭｅＮＢの負荷状態、負荷状態、ＣＱＩ、およびバッファ状態を備えることができ、ＭｅＮＢは、ＭｅＮＢ自身によって収集されたＭｅＮＢの負荷状態および／もしくはバッファ状態を収集することができ、ならびに／または、ＭｅＮＢの負荷状態および／もしくはＣＱＩをＵＥから受信することができる。
【００８５】
本発明の実施形態によれば、デュアル・コネクティビティ・システムにおいて無線ベアラ分割をサポートするＭｅＮＢのためのフロー制御デバイスであって、ＳｅＮＢに関連する情報を受信するように構成された受信モジュールと、情報およびＭｅＮＢに関連する情報に基づいてＳｅＮＢにフロー制御を実行するように構成された実行モジュールとを備えるフロー制御デバイスがさらに提供される。
【００８６】
１つの実施形態において、受信モジュールは、ＳｅＮＢに対して基本フロー制御を実行するための情報を受信することができる。具体的には、受信モジュールは、ＳｅＮＢから、ＳｅＮＢの負荷状態（関心対象の分割ＲＢに関するＳｅＮＢの負荷状態も含む）、負荷状態（たとえば、基準信号受信電力（ＲＳＲＰ））、およびＣＱＩのうちの少なくとも１つを受信することができ、ならびに／または、ＳｅＮＢの負荷状態および／もしくはＣＱＩをＵＥから受信することができる。
【００８７】
別の実施形態において、受信モジュールはまた、関心対象の分割ＲＢまたはＲＢセットに関してＳｅＮＢのバッファのバッファ状態を受信することができる。実行モジュールは、バッファ状態に基づいてＳｅＮＢによる送信のためのデータ量のＳｅＮＢへの割り振りを、増加、低減、または停止する。
【００８８】
さらなる実施形態において、受信モジュールは、第１の指示情報をさらに受信し、指示情報は、ＭｅＮＢとＳｅＮＢとの間でサポートされる分割無線ベアラＲＢまたはＲＢセットに関してＳｅＮＢのサービス状態を指示するためのものである。この実施形態において、受信モジュールは、第２の指示情報をさらに受信し、第２の指示情報は、第１の指示情報が存在するかどうかを指示するためのものであり、第１の指示および第２の指示はいずれも１ビットであるか、または、ＳｅＮＢによる送信のためにＳｅＮＢに割り振られるデータ量を増加させること、ＳｅＮＢによる送信のためにＳｅＮＢに割り振られるデータ量を低減すること、ＳｅＮＢによる送信のためのデータ量のＳｅＮＢへの割り振りを停止すること、およびＳｅＮＢによる送信のためにＳｅＮＢに割り振られるデータ量を調整しないこと、のうちの少なくとも１つを指示するため、第１の指示情報は２ビットである。この実施形態において、サービス状態が、予想されるよりも高いデータ転送速度でＳｅＮＢがデータを送信することを指示する場合、実行モジュールは、ＳｅＮＢによる送信のためにＳｅＮＢに割り振られるデータ量を増加させ、次いで、実行モジュールは、第１の指示情報に基づいてＳｅＮＢによる送信のためにＳｅＮＢに割り振られるデータ量を増加させるか、またはＳｅＮＢによる送信のためにＳｅＮＢにデータ量を割り振ることを停止する。
【００８９】
さらなる実施形態において、受信モジュールは、ＭｅＮＢとＳｅＮＢとの間でサポートされる分割無線ベアラＲＢまたはＲＢセットに提供されるＳｅＮＢのスループットをさらに受信することができる。実行モジュールは、情報およびスループットに基づいてＳｅＮＢによる送信のために、ＳｅＮＢにデータを割り振る。
【００９０】
本発明の実施形態によれば、デュアル・コネクティビティ・システムにおいて無線ベアラ分割をサポートするＳｅＮＢのためのフロー制御デバイスであって、ＳｅＮＢに関連する情報をＭｅＮＢに送信するように構成された送信モジュールと、フロー制御の決定を通じてＭｅＮＢによってＳｅＮＢに送信されたデータを受信するように構成された受信モジュールとを備えるフロー制御デバイスがさらに提供される。
【００９１】
１つの実施形態によれば、送信モジュールは、ＳｅＮＢに対して基本フロー制御を実行するための情報を、ＭｅＮＢに送信することができ、ＳｅＮＢに対して基本フロー制御を実行するための情報は、ＳｅＮＢの負荷状態、負荷状態、およびチャネル品質インジケータＣＱＩのうちの少なくとも１つを含む。
【００９２】
別の実施形態において、送信モジュールは、関心対象のＲＢまたはＲＢセットに関してＳｅＮＢのバッファのバッファ状態を、ＭｅＮＢに送信することができる。この実施形態において、送信モジュールは、定期的にバッファ状態をＭｅＮＢに送信するか、またはバッファによってバッファに入れられたデータ量が、事前設定の第１のしきい値よりも少ないか、または事前設定の第２のしきい値よりも多い場合に、バッファ状態をＭｅＮＢに送信する。
【００９３】
さらなる実施形態において、送信モジュールは、第１の指示情報をＭｅＮＢに送信することができ、第１の指示情報は、ＭｅＮＢとＳｅＮＢとの間でサポートされるＲＢまたはＲＢセットに関してＳｅＮＢのサービス状態を指示するためのものである。この実施形態において、送信モジュールは、第２の指示情報をＭｅＮＢにさらに送信することができ、第２の指示情報は、第１の指示情報が存在するかどうかを指示するためのものである。
【００９４】
１つの実施形態において、第１の指示情報および第２の指示情報はいずれも１ビットである。
【００９５】
１つの実施形態において、ＳｅＮＢによる送信のためにＳｅＮＢに割り振られるデータ量を増加させること、ＳｅＮＢによる送信のためにＳｅＮＢに割り振られるデータ量を低減すること、ＳｅＮＢによる送信のためのデータ量の割り振りを停止すること、およびＳｅＮＢによる送信のためにＳｅＮＢに割り振られるデータ量を調整しないこと、のうちの少なくとも１つを指示するため、第１の指示情報は２ビットである。
【００９６】
さらなる実施形態において、ＳｅＮＢが予想されるよりも高いデータ転送速度でデータを送信することをサービス状態が指示する場合、情報およびＭｅＮＢに関連する情報に基づいてＳｅＮＢにフロー制御を実行するステップは、第１の指示情報に基づいてＳｅＮＢによる送信のためにＳｅＮＢに割り振られるデータ量を増加させるステップを備え、ＳｅＮＢが予想されるよりも低いデータ転送速度でデータを送信することをサービス状態が指示する場合、情報およびＭｅＮＢに関連する情報に基づいてＳｅＮＢにフロー制御を実行するステップは、第１の指示情報に基づいてＳｅＮＢによる送信のためにＳｅＮＢに割り振られるデータ量を低減するか、またはＳｅＮＢによる送信のためにデータ量を割り振ることを停止するステップを備える。
【００９７】
１つの実施形態において、ＭｅＮＢに関連する情報は、ＭｅＮＢ自身によって収集されたＭｅＮＢの負荷状態および／もしくはバッファ状態のうちの少なくとも１つ、ならびに／または、ＵＥからＭｅＮＢによって受信されたＭｅＮＢの負荷状態および／もしくはＣＱＩを含む。
【００９８】
さらなる実施形態において、送信モジュールは、ＭｅＮＢとＳｅＮＢとの間でサポートされるＲＢまたはＲＢセットに提供されるＳｅＮＢのスループットをＭｅＮＢにさらに送信することができる。
【００９９】
上記のことを考慮すると、本発明の実施形態によれば、デュアル・コネクティビティ・システムにおいてユーザ・プレーン・アーキテクチャ３Ｃをサポートするように、効果的なフロー制御解決策およびその関連信号送信が提供される。本発明の実施形態を通じて、フロー制御は、中長期間のチャネルおよび負荷状態に従ってフロー制御を実行することを考慮するだけではなく、送信／サービス状態をフィードバックすることを通じてチャネルおよび負荷の急速な変化をフロー制御に考慮させる。
【０１００】
加えて、本発明の方法による操作が、図面において特定の順序で説明されているが、それらの操作が特定の順序に従って実行されるべきであること、もしくは示される操作のすべてが実行された後に望ましい結果を達成することを要求または暗示するものではない。これに反して、流れ図に示されるステップは、実行順序を変更してもよい。付加的または代替的に、一部のステップが省略されてもよく、複数のステップが実行のために１つのステップにまとめられてもよく、および／または、１つのステップが実行のために複数のステップに分割されてもよい。
【０１０１】
本発明は、複数の好ましい実施形態を参照して説明されてきたが、本発明が開示される好ましい実施形態に限定されないことを理解されたい。本発明は、添付の特許請求の精神および範囲に含まれるさまざまな変更および等価の構成を網羅することを意図している。添付の特許請求の範囲は、最も広範な説明に合致し、それによりそのような変更および機能をすべて網羅する。
【図１】
2017509229.tif 000003
【図２】
2017509229.tif 000004
【図３】
2017509229.tif 000005
【図４】
2017509229.tif 000006
【図５】
2017509229.tif 000007
【図６】
2017509229.tif 000008
【図７】
2017509229.tif 000009
【国際調査報告】
2017509229.tif 000010
2017509229.tif 000011
2017509229.tif 000012